(57)【要約】【課題】表示部に表示されるデータの内容と実際に操作された操作スイッチとの関連を理解し易くし、操作性を良くすることが可能なリモコンを提供する。【解決手段】表示部２と、この表示部２に所定の第１および第２のデータＤ１，Ｄ２を個別に表示させるための第１および第２の操作スイッチ３ａ，３ｂと、を備えている、リモコンＲであって、第１および第２の操作スイッチ３ａ，３ｂは、ともに表示部２の近傍に設けられて、表示部２の縁部に沿うように並んだ配置、または表示部２を挟むようにして互いに離間した配置とされ、第１の操作スイッチ３ａが操作されたときには、第１のデータＤ１は、表示部２のうち、第１の操作スイッチ寄りに偏った位置に表示され、第２の操作スイッチ３ｂが操作されたときには、第２のデータＤ２は、表示部２のうち、第２の操作スイッチ寄りに偏った位置に表示される。【選択図】  図３
2012160822.tif 000002
【特許請求の範囲】
【請求項１】
データの切り替え表示が可能な表示部と、
この表示部に所定の第１および第２のデータを個別に表示させるための第１および第２の操作スイッチと、
を備えている、リモコンであって、
前記第１および第２の操作スイッチは、ともに前記表示部の近傍に設けられて、前記表示部の縁部に沿うように並んだ配置、または前記表示部を挟むようにして互いに離間した配置とされ、
前記第１の操作スイッチが操作されたときには、前記第１のデータは、前記表示部のうち、前記第１の操作スイッチ寄りに偏った位置に表示され、
前記第２の操作スイッチが操作されたときには、前記第２のデータは、前記表示部のうち、前記第２の操作スイッチ寄りに偏った位置に表示されるように構成されていることを特徴とする、リモコン。
【請求項２】
データの切り替え表示が可能な表示部と、
この表示部に所定の第１および第２のデータを個別に表示させるための第１および第２の操作スイッチと、
を備えている、リモコンであって、
前記第１および第２の操作スイッチは、ともに前記表示部の近傍に設けられて、前記表示部の縁部に沿うように並んだ配置、または前記表示部を挟むようにして互いに離間した配置とされ、
前記第１の操作スイッチが操作されたときには、前記表示部のうち、前記第１の操作スイッチ寄りの第１の位置を起点として、前記第１のデータの画像が小面積状態から大面積状態に拡大するようにして前記表示部に現出し、
前記第２の操作スイッチが操作されたときには、前記表示部のうち、前記第２の操作スイッチ寄りの第２の位置を起点として、前記第２のデータの画像が小面積状態から大面積状態に拡大するようにして前記表示部に現出するように構成されていることを特徴とする、リモコン。
【請求項３】
請求項２に記載のリモコンであって、
前記第１および第２のデータの画像が小面積状態から大面積状態に拡大するようにして前記表示部に現出する動作は、前記第１および第２のデータの画像のうち、一部の画像が前記第１および第２の位置に最初に表示された後に、前記一部の画像とともに残余の画像が等倍率で前記表示部上においてスライドすることにより行なわれる構成とされている、リモコン。
【請求項４】
請求項２または３に記載のリモコンであって、
前記第１の操作スイッチが操作されて、前記第１のデータの画像が前記表示部に現出したときには、この画像は、前記表示部のうち、前記第１の操作スイッチ寄りに偏った配置に表示され、
前記第２の操作スイッチが操作されて、前記第２のデータが前記表示部に現出したときには、この画像は、前記表示部のうち、前記第２の操作スイッチ寄りに偏った配置に表示されるように構成されている、リモコン。
【請求項５】
請求項１または４に記載のリモコンであって、
前記第１および第２のデータの一方が前記表示部の一部に偏った配置で表示されたときには、前記表示部の他の部分に、前記第１および第２のデータとは別のデータが表示されるように構成されている、リモコン。
【発明の詳細な説明】
【技術分野】
【０００１】
本発明は、給湯装置、コージェネレーションシステム、あるいはその他の装置・機器類を遠隔操作するためのリモコン（リモートコントローラ）に関する。
【背景技術】
【０００２】
たとえば、給湯装置用のリモコンは、液晶表示器などを利用して設けられたデータ表示用の表示部と、複数の操作スイッチとを備え、これら複数の操作スイッチを操作することにより、給湯設定温度やその他の所定の項目を表示部に表示させて、所定の動作指令や条件設定などを行なうことが可能に構成されている場合が多い。このようなリモコンにおいては、表示部に表示されている項目の内容がユーザにとって判り易いことが要望される。これに対し、給湯装置の高機能化あるいは多機能化などが図られた場合、表示部に表示させるべき項目の種類や数がかなり多くなってしまう。このような場合、ユーザは、表示部の表示画面を見ただけでは、その表示内容を容易に理解できなくなる虞が大きくなる。表示部に表示される項目としては、全く異なる内容のものであるにも拘わらず、互いに似通った表示態様となる場合もあり、このような場合には、ユーザがそれらの内容を混同し、それらの内容を的確に判別できない虞がより大きくなる。したがって、このようなことを適切に防止することが望まれる。
【０００３】
特許文献１には、リモコンの表示画面を切り替える際に、その画面を一気に切り替えるのではなく、まず最初に所定の画像を縮小させた状態で表示部に表示させておき、その後にこの画像を徐々に拡大させるようにして画面の切り替えを行なう手段が記載されている。しかしながら、特許文献１に記載の手段では、画面の切り替え時において、縮小画像が徐々に拡大していく動作がワンパターンで行なわれているに過ぎない。このため、画面の切り替えがなされたことをユーザに察知させることはできるものの、たとえば表示部に表示された内容が、いずれの操作スイッチに対応したものであるのかといったことを、ユーザに積極的に察知させ、あるいは強く印象付ける効果は期待できない。したがって、たとえば異なる内容の項目が表示部に似通った態様で表示されるような場合には、ユーザがそれらを混同し、的確な操作が困難となる虞がある。
【先行技術文献】
【特許文献】
【０００４】
【特許文献１】特開２００６−１１４９６４号公報
【発明の概要】
【発明が解決しようとする課題】
【０００５】
本発明は、前記したような事情のもとで考え出されたものであって、表示部に表示されるデータの内容と実際に操作された操作スイッチとの関連を理解し易くし、操作性を良くすることが可能なリモコンを提供することを、その課題としている。
【課題を解決するための手段】
【０００６】
上記の課題を解決するため、本発明では、次の技術的手段を講じている。
【０００７】
本発明の第１の側面により提供されるリモコンは、データの切り替え表示が可能な表示部と、この表示部に所定の第１および第２のデータを個別に表示させるための第１および第２の操作スイッチと、を備えている、リモコンであって、前記第１および第２の操作スイッチは、ともに前記表示部の近傍に設けられて、前記表示部の縁部に沿うように並んだ配置、または前記表示部を挟むようにして互いに離間した配置とされ、前記第１の操作ス
イッチが操作されたときには、前記第１のデータは、前記表示部のうち、前記第１の操作スイッチ寄りに偏った位置に表示され、前記第２の操作スイッチが操作されたときには、前記第２のデータは、前記表示部のうち、前記第２の操作スイッチ寄りに偏った位置に表示されるように構成されていることを特徴としている。
【０００８】
このような構成によれば、次のような効果が得られる。
第１および第２の操作スイッチが、たとえば左側および右側にそれぞれ位置するように並んでいる場合を具体例として説明する。この場合、第１の操作スイッチを操作すると、第１のデータは表示部の左側に偏って表示され、この表示は第１の操作スイッチの近傍に位置することとなる。第２の操作スイッチを操作した場合には、前記とは異なり、第２のデータは表示部の右側に偏って表示され、この表示は第２の操作スイッチの近傍に位置することとなる。このような表示態様によれば、表示部に表示される第１および第２のデータを、第１および第２の操作スイッチと関連付けることができる。このため、ユーザは、表示部に表示されているデータが、第１および第２の操作スイッチのいずれに対応したものであるのかを容易に察知することができることとなる。したがって、第１および第２のデータが、仮に似通った表示内容であっても、ユーザがそれらを混同することを的確に防止または抑制し、リモコンの操作性を良好にすることができる。
【０００９】
本発明の第２の側面により提供されるリモコンは、データの切り替え表示が可能な表示部と、この表示部に所定の第１および第２のデータを個別に表示させるための第１および第２の操作スイッチと、を備えている、リモコンであって、前記第１および第２の操作スイッチは、ともに前記表示部の近傍に設けられて、前記表示部の縁部に沿うように並んだ配置、または前記表示部を挟むようにして互いに離間した配置とされ、前記第１の操作スイッチが操作されたときには、前記表示部のうち、前記第１の操作スイッチ寄りの第１の位置を起点として、前記第１のデータの画像が小面積状態から大面積状態に拡大するようにして前記表示部に現出し、前記第２の操作スイッチが操作されたときには、前記表示部のうち、前記第２の操作スイッチ寄りの第２の位置を起点として、前記第２のデータの画像が小面積状態から大面積状態に拡大するようにして前記表示部に現出するように構成されていることを特徴としている。
【００１０】
このような構成によれば、次のような効果が得られる。
すなわち、第１の操作スイッチを操作すると、第１のデータの画像は、第１の操作スイッチの近傍の第１の位置を起点とし、徐々にその面積が拡大するようにして表示部に現出する。これに対し、第２の操作スイッチを操作すると、第２のデータの画像は、第２の操作スイッチの近傍の第２の位置を起点とし、徐々にその面積が拡大するようにして表示部に現出する。このため、ユーザは、表示部の表示画面が単に切り替わる様子を確認できるだけではなく、表示画面が第１および第２の操作スイッチのいずれの近傍から現出するかに基づき、表示部に表示されているデータが、第１および第２の操作スイッチのいずれに対応したものであるのかを的確に認識することが可能となる。したがって、本発明の第１の側面により提供されるリモコンと同様に、第１および第２のデータが、たとえば互いに似通った表示内容であっても、ユーザがそれらを混同することを的確に防止または抑制し、リモコンの操作性を良好にすることができる。
【００１１】
本発明において、好ましくは、前記第１および第２のデータの画像が小面積状態から大面積状態に拡大するようにして前記表示部に現出する動作は、前記第１および第２のデータの画像のうち、一部の画像が前記第１および第２の位置に最初に表示された後に、前記一部の画像とともに残余の画像が等倍率で前記表示部上においてスライドすることにより行なわれる構成とされている。
【００１２】
このような構成によれば、画像処理の容易化を図るのに好ましい。すなわち、前記構成
とは異なり、第１および第２のデータの画像を所定の縮小画像として表示させた後に、この画像の縮小倍率を徐々に変化させる手段を採用することが可能であるが、このような手段では、画像処理が煩雑であり、そのためのプログラムソフトも複雑化する不利がある。これに対し、前記した構成によれば、画像の縮小倍率を変化させる処理が不要であるため、前記した不利を解消することができる。
【００１３】
本発明において、好ましくは、前記第１の操作スイッチが操作されて、前記第１のデータの画像が前記表示部に現出したときには、この画像は、前記表示部のうち、前記第１の操作スイッチ寄りに偏った配置に表示され、前記第２の操作スイッチが操作されて、前記第２のデータが前記表示部に現出したときには、この画像は、前記表示部のうち、前記第２の操作スイッチ寄りに偏った配置に表示されるように構成されている。
【００１４】
このような構成は、本発明の第１の側面および第２の側面のそれぞれによって提供されるリモコンの特徴的な構成を組み合わせた内容に相当し、表示部に表示される第１および第２のデータと第１および第２の操作スイッチとの関係をユーザにより強く印象付け、あるいはより容易に察知できるものとし、操作性を良好とするのに一層好ましい。
【００１５】
本発明において、好ましくは、前記第１および第２のデータの一方が前記表示部の一部に偏った配置で表示されたときには、前記表示部の他の部分に、前記第１および第２のデータとは別のデータが表示されるように構成されている。
【００１６】
このような構成によれば、第１および第２のデータの一方が表示部の一部に偏って配置されたときに、表示部の他の部分が無駄に空白状態になることが回避され、ユーザにとって有益な情報を表示することができる。
【００１７】
本発明に係るリモコンは、たとえば温水生成機能を備えた装置またはシステム用のリモコンとして構成され、前記第１のデータは、前記装置またはシステムの動作条件を設定変更するためのメニューデータであり、前記第２のデータは、前記装置またはシステムにおけるエネルギの消費または発生情況を確認するためのメニューデータである構成とすることができる。
このような構成によれば、ユーザが前記した２種類のメニューデータを混同することを適切に防止または抑制することができる。
【００１８】
本発明のその他の特徴および利点は、添付図面を参照して以下に行なう発明の実施の形態の説明から、より明らかになるであろう。
【図面の簡単な説明】
【００１９】
【図１】本発明に係るリモコンの一例を示す正面図である。
【図２】図１に示すリモコンのブロック図である。
【図３】（ａ）は、図１に示すリモコンにおいて第１の操作スイッチを操作した際の表示画面の一例を示す要部正面図であり、（ｂ）は、第２の操作スイッチを操作した際の表示画面の一例を示す要部正面図である。
【図４】（ａ），（ｂ）は、第１および第２の操作スイッチが操作された際の画面表示の仕方の例を示す要部正面図である。
【図５】（ａ），（ｂ）は、第１および第２の操作スイッチが操作された際の画面表示の仕方の例を示す要部正面図である。
【図６】（ａ）〜（ｄ）は、本発明の他の例を模式的に示す説明図である。
【発明を実施するための形態】
【００２０】
以下、本発明の好ましい実施の形態について、図面を参照して具体的に説明する。
【００２１】
図１に示す実施形態のリモコンＲは、コージェネレーションシステム９の遠隔操作用である。コージェネレーションシステム９は、たとえば従来既知のガスエンジン方式であり、発電機能、一般給湯機能、風呂給湯機能、および温水暖房機能を有している。
【００２２】
リモコンＲは、台所や浴室の壁面に固定されて使用される壁掛け方式のものであり、樹脂製の筐体４の内部および前面部に後述する機器が組み付けられた構成である。リモコンＲを構成する機器の基本的な構成は、従来既知のリモコンと同様である。すなわち、図２に示すように、このリモコンＲは、記憶部１０を有して各種のデータ処理を実行する制御部１１、コージェネレーションシステム９の制御部９０（図１を参照）との間でデータ通信を実行する通信部１２、液晶パネルあるいは有機ＥＬパネルなどを利用して構成され、かつ表示部２を有するディスプレイ装置Ｄ、後述する複数の操作スイッチ３ａ〜３ｆを有する操作部ＯＰ、スピーカ１３、およびマイク１４を具備している。
【００２３】
図１に示すように、表示部２は、たとえば正面視矩形状であり、筐体４の前面部に設けられている。図１は、表示部２に所定の初期画面ＩＭが表示された状態を示している。複数の操作スイッチ３ａ〜３ｆは、押しボタン方式であり、筐体４の前面部に設けられている。これら複数の操作スイッチ３ａ〜３ｆは、より具体的には、第１および第２の操作スイッチ３ａ，３ｂ、もどるスイッチ３ｃ、十字方向スイッチ３ｄ、確定スイッチ３ｅ、所定の動作を実行させるための複数の操作スイッチ３ｆである。
【００２４】
第１および第２の操作スイッチ３ａ，３ｂは、ともにメニュースイッチとしての役割を果たすものである。ただし、第１の操作スイッチ３ａは、コージェネレーションシステム９の動作条件などを設定変更する際に操作するためのものであるのに対し、第２の操作スイッチ３ｂは、コージェネレーションシステム９におけるエネルギの消費情況や、発生情況などを確認する際に操作するためのものである。第１および第２の操作スイッチ３ａ，３ｂは、ともに表示部２の近傍であって、表示部２の下側に設けられ、かつ表示部２の下縁部２０に沿うようにして並んでいる。本実施形態では、第１の操作スイッチ３ａは左側に位置し、第２の操作スイッチ３ｂは右側に位置している。
【００２５】
第１の操作スイッチ３ａが操作されたときには、たとえば図３（ａ）に示すように、第１のデータＤ１が参照データＤ３とともに表示部２に表示される。第１のデータＤ１は、設定変更の対象メニューとして、給湯に関するメニュー、風呂に関するメニュー、発電に関するメニュー、暖房に関するメニュー、およびスピーカＳＰの音やその他の事項に関するメニューがあることを示し、かつそれらのうちのいずれかのメニューを選択させるためのデータである。同図においては、最上位置の「給湯メニュー」の文字表示が反転表示となっているが（図面では、網点模様を付している）、このような反転表示位置は、十字方向スイッチ３ｄの操作によって上下に適宜移動させることが可能である。確定スイッチ３ｅを押圧操作した場合、反転表示されている部分の項目が選択されることとなる。このような選択がなされると、それに対応した所定のデータ（図示略）が表示部２に切り替え表示される。このリモコンＲでは、操作部ＯＰの操作により表示され、かつ選択されるデータは、複数の階層構造となっており、第１のデータＤ１は、第１階層のデータである。この点は、後述する第２のデータＤ２も同様である。
【００２６】
第１のデータＤ１は、表示部２のうち、第１の操作スイッチ３ａ寄りの左側の領域に偏って表示される。好ましくは、第１のデータＤ１は、表示部２の左右幅方向の中心よりも左側の領域に位置するように表示される。参照データＤ３は、たとえばユーザによって最近選択された項目を示すデータ、すなわち履歴表示データである。この参照データＤ３は、第１のデータＤ１の右側に表示される。
【００２７】
第２の操作スイッチ３ｂが操作されたときには、たとえば図３（ｂ）に示すように、第２のデータＤ２が参照データＤ４とともに表示部２に表示される。第２のデータＤ２は、選択対象メニューとして、コージェネレーションシステム９の現在の運転情況に関するメニューや、発電情況に関するメニュー、料金に関するメニュー、およびこれら以外の所定のメニューがあることを示し、かつそれらのうちのいずれかのメニューを選択させるためのデータである。図３（ｂ）においては、最上位置の「現在情況」の文字表示が反転表示となっているが、同図（ａ）の場合と同様に、そのような反転表示位置は、十字方向スイッチ３ｄの操作によって上下に移動可能であり、かつ確定スイッチ３ｅの操作によって、反転表示されている部分の項目を選択することが可能である。このような選択がなされると、やはりそれに対応した所定のデータ（図示略）が表示部２に切り替え表示される。
【００２８】
第２のデータＤ２は、表示部２のうち、第２の操作スイッチ３ｂ寄りの右側の領域に偏って表示される。好ましくは、第２のデータＤ２は、表示部２の左右幅方向の中心よりも右側の領域に位置するように表示される。参照データＤ４は、たとえば電気、ガス、お湯の使用などについての過去の料金を示すデータである。この参照データＤ４は、第２のデータＤ２の左側に表示される。
【００２９】
次に、前記したリモコンＲの作用について説明する。
【００３０】
まず、図１に示した初期画面ＩＭが表示部２に表示されている状態において、第１の操作スイッチ３ａが操作されると、図３（ａ）に示す表示画面に切り替わる。この表示画面では、第１のデータＤ１が表示部２の左側に偏って表示される。この第１のデータＤ１の表示は、第１の操作スイッチ３ａの近傍であって、第１の操作スイッチ３ａの略真上に位置することとなる。これに対し、第２の操作スイッチ３ｂが操作されたときには、図３（ｂ）に示す表示画面に切り替わる。この表示画面では、第２のデータＤ２が表示部２の右側に偏って表示され、この第２のデータＤ２の表示は、第２の操作スイッチ３ｂの近傍であって、第２の操作スイッチ３ｂの略真上に位置する。このように、第１および第２のデータＤ１，Ｄ２の位置と、第１および第２の操作スイッチ３ａ，３ｂの位置とが関連付けされると、第１のデータＤ１は第１の操作スイッチ３ａが操作されたことによって表示されたデータであること、および第２のデータＤ２は第２の操作スイッチ３ｂを操作することによって表示されたデータであることを、ユーザは容易に察知することが可能となる。したがって、ユーザが第１および第２のデータＤ１,Ｄ２を混同する虞を無くし、または少なくすることができる。第１および第２のデータＤ１，Ｄ２は、ともに第１階層のデータであるために、これら第１および第２のデータＤ１，Ｄ２を混同したのでは、それよりも先に適切な操作を進めることが困難となるが、本実施形態によれば、そのような不具合を無くし、リモコンＲの使い勝手を良くすることができる。
【００３１】
第１および第２のデータＤ１，Ｄ２は、既述したように、表示部２の左側または右側に偏って表示されるが、その際には、表示部２の右側または左側の残余部分に参照データＤ３，Ｄ４が表示される。この参照データＤ３，Ｄ４は、ユーザにとって有益であり、しかも表示部２の残余部分を有効に利用して表示されるために合理的である。
【００３２】
図４および図５は、前記したリモコンＲにおいて、第１および第２のデータＤ１，Ｄ２の表示方式を、前記とは異なる方式とした例を示している。
【００３３】
図４（ａ）においては、第１の操作スイッチ３ａが操作されたときに、第１のデータＤ１および参照データＤ３の画像Ｉａが、表示部２の左下隅部またはその近傍の第１の位置Ｐ１を起点として、小面積状態から大面積状態に徐々に拡大して表示部２に現出する。画像Ｉａは、最終的には、図３（ａ）に示されたのと同様な表示態様となる。画像Ｉａが徐々に拡大して表示されていく動作は、画像Ｉａの倍率を変更することなく、この画像Ｉａ
の一部を第１の位置Ｐ１の近傍に表示させた後に、画像Ｉａを矢印Ｎ１方向にスライドさせて表示させていく手法が用いられている。
【００３４】
図４（ｂ）においては、第２の操作スイッチ３ｂが操作されたときに、第２のデータＤ２および参照データＤ４の画像Ｉｂが、表示部２の右下隅部またはその近傍の第２の位置Ｐ２を起点として、矢印Ｎ２方向に移動して表示部２に現出する。この画像Ｉｂは、最終的には、図３（ｂ）に示されたのと同様な表示態様となる。画像Ｉｂを表示部２に現出させる手法は、図４（ａ）の場合と同様である。
【００３５】
前記した構成によれば、第１および第２の操作スイッチ３ａ，３ｂをそれぞれ操作した際に、表示部２に画像Ｉａまたは画像Ｉｂが徐々に現出していくが、画像Ｉａが第１の操作スイッチ３ａの近傍の第１の位置Ｐ１から現出した場合、ユーザは、この画像Ｉａは第１の操作スイッチ３ａに対応するものとして認識することができる。これとは反対に、画像Ｉｂが第２の操作スイッチ３ｂの近傍の第２の位置Ｐ２から現出した場合、ユーザは、この画像Ｉｂは第２の操作スイッチ３ｂに関連するものとして認識することができる。このため、画像Ｉａ，Ｉｂの内容、ひいては第１および第２のデータＤ１，Ｄ２の内容を、ユーザが混同し難くなる効果を得ることができる。
【００３６】
画像Ｉａ，Ｉｂは、最終的には、図３に示したのと同様な表示態様となり、第１のデータＤ１は第１の操作スイッチ３ａ寄りに偏って表示され、第２のデータＤ２は第２の操作スイッチ３ｂ寄りに偏って表示される。したがって、図３を参照して既に述べたように、ユーザは、そのような配置に基づいても、第１および第２のデータＤ１，Ｄ２と第１および第２の操作スイッチ３ａ，３ｂとの関係を認識することが可能である。図４に示した画像Ｉａ，Ｉｂの処理方法においては、後述する図５の処理方法とは異なり、画像Ｉａ，Ｉｂは等倍率のままであり、縮小・拡大処理は行なわれていない。このため、画像Ｉａ，Ｉｂの処理を容易化し、画像処理用プログラムのボリュームを小さくすることができる利点が得られる。
【００３７】
図５においては、画像の倍率を変更させる手法を利用し、画像Ｉａ’，Ｉｂ’が表示部２に徐々に現出するように構成している。より具体的には、図５（ａ）では、第１の操作スイッチ３ａが操作されたときに、表示部２の左下隅部に画像Ｉａ’が縮小した状態で表示され、その後は第１の位置Ｐ１を起点として画像Ｉａ’が徐々に拡大し、最終的には図３（ａ）に示すような態様となる。図５（ｂ）では、第２の操作スイッチ３ｂが操作されたときに、表示部２の右下隅部に画像Ｉｂ’が縮小した状態で表示され、その後は第２の位置Ｐ２を起点として画像Ｉｂ’が徐々に拡大し、最終的には図３（ｂ）に示すような態様となる。このような構成であっても、図４に示した場合と同様に、表示部２に表示される画像Ｉａ’，Ｉｂ’と第１および第２の操作スイッチ３ａ，３ｂとを適切に関連付けて、第１および第２のデータＤ１，Ｄ２が混同されることを防止する効果が得られる。
【００３８】
図６は、本発明の他の実施形態を示している。
同図（ａ）においては、第１および第２の操作スイッチ３ａ，３ｂが、表示部２の下側に位置して互いに接近している。このような構成であっても、第１および第２の操作スイッチ３ａ，３ｂの相対的な位置関係を明確に区別することが可能である。したがって、たとえば表示部２の左寄りの位置に第１のデータを表示させた場合には、このデータが第１の操作スイッチ３ａに関連するデータであるものと適切に認識させることができ、右寄りの位置に第２のデータを表示させた場合には、このデータが第２の操作スイッチ３ｂに関連するデータであるものと適切に認識させることができる。画像の面積を徐々に増大させながら表示部２に現出させる場合の起点となる第１の位置Ｐ１は、たとえば先の実施形態と同様に表示部２の左下隅部またはその近傍とし、第２の位置Ｐ２は、表示部２の右下隅部またはその近傍にすればよい。本実施形態から理解されるように、第１および第２の操
作スイッチ３ａ，３ｂを、互いに接近（接触して並んだ状態も含む）させた構成とすることができる。
【００３９】
図６（ｂ）においては、第１および第２の操作スイッチ３ａ，３ｂが、表示部２の上側に配置されている。第１および第２の位置Ｐ１，Ｐ２については、たとえば表示部２の左上隅部もしくはその近傍、および表示部２の右上隅部もしくはその近傍とすればよい。本実施形態および先の実施形態に示すように、第１および第２の操作スイッチ３ａ，３ｂは、表示部２の上下いずれに設けられていてもよい。さらに、本発明においては、図示説明は省略するが、表示部２の横（左側または右側）に、第１および第２の操作スイッチ３ａ，３ｂを上下に並べて設けた構成とすることもできる。この場合、たとえば表示部２の上側寄りに第１のデータを表示し、下側寄りに第２のデータを表示すればよい。
【００４０】
図６（ｃ）においては、第１および第２の操作スイッチ３ａ，３ｂが、左右方向において表示部２を挟む配置に設けられている。この場合、第１の位置Ｐ１は、たとえば表示部２の左上隅部から左下隅部に至る領域もしくはその近傍のいずれの位置に設定してもよく、第２の位置Ｐ２は、表示部２の右上隅部から右下隅部に至る領域もしくはその近傍のいずれの位置に設定してもよい。本実施形態とは異なり、第１および第２の操作スイッチ３ａ，３ｂが表示部２を上下方向において挟むように設けることもできる。
【００４１】
図６（ｄ）においては、第１および第２の操作スイッチ３ａ，３ｂが、表示部２の一部を斜め方向において挟む配置に設けられている。このような構成であっても、第１および第２の操作スイッチ３ａ，３ｂの相対的な位置関係を明確に区別し、本発明が意図する効果を得ることが可能である。第１および第２の位置Ｐ１，Ｐ２については、たとえば図６（ｃ）の場合と同様な配置とすることができる。
【００４２】
図６（ａ）〜（ｄ）に示した実施形態から理解されるように、本発明においては、第１および第２の操作スイッチは、ともに表示部の近傍に設けられて、表示部の縁部に沿うようにして（表示部の縁部から多少離間していてもよい）並んだ配置、または表示部の少なくとも一部分を挟むようにして互いに離間した配置とされていればよい。ここで、「表示部の近傍」とは、表示部の偏った位置に表示される第１および第２のデータと、第１および第２の操作スイッチとの相対的な位置関係をユーザが認識できる程度、あるいは所定の第１および第２の位置を起点として第１および第２のデータを徐々に現出させる場合において、それら第１および第２の位置と第１および第２の操作スイッチとの相対的な位置関係をユーザが認識できる程度に、表示部と第１および第２の操作スイッチとが互いに接近している意である。
【００４３】
本発明は、上述した実施形態の内容に限定されない。本発明に係るリモコンの各部の具体的な構成は、種々に設計変更自在である。
【００４４】
本発明でいう第１および第２の操作スイッチは、前記したようなメニュー選択用のスイッチに限定されない。リモコンに設けられる複数の操作スイッチの中から一対の操作スイッチを適宜選択し、これら一対の操作スイッチを本発明でいう第１および第２の操作スイッチとすることができる。したがって、本発明でいう第１および第２のデータの具体的な内容も限定されない。第１および第２の操作スイッチは、押しボタン方式のものに限らず、たとえば静電スイッチなどの非接触方式のものとすることもできる。
【００４５】
第１および第２のデータを、たとえば表示部の左側および右側に偏らせて表示させる場合、これら第１および第２のデータが表示部の幅方向中心を越えないようにすることが好ましいものの、やはりこれに限定されず、第１および第２のデータの一部が幅方向中心の右側または左側にはみ出した構成であってもよい。要は、第１のデータが第１の操作スイ
ッチ寄りに偏った配置であることや、第２のデータが第２の操作スイッチ寄りに偏った配置であることを、ユーザが明確に認識できる程度に、第１および第２のデータが偏った配置に表示されればよい。
【００４６】
本発明では、第１および第２のデータならびに操作スイッチに加え、第３のデータならびに操作スイッチをさらに設けた構成とすることもできる。この場合、第３のデータを第３の操作スイッチに偏らせて表示させたり、第３の操作スイッチ寄りの第３の位置を起点として、第３のデータの画像が小面積状態から大面積状態に拡大するようにして表示部に現出させることができる。
【００４７】
本発明に係るリモコンは、コージェネレーションシステム用のものに限らず、給湯装置、あるいは空調装置（冷暖房装置）などの種々の装置・システム用のリモコンとして構成することができる。また、本発明は、壁掛け方式のリモコンに限定されず、たとえばハンディタイプのリモコンにも適用することができる。
【符号の説明】
【００４８】
Ｒ  リモコン
Ｄ１，Ｄ２  第１および第２のデータ
Ｐ１，Ｐ２  第１および第２の位置
２  表示部
３ａ，３ｂ  第１および第２の操作スイッチ
【図１】
2012160822.tif 000003
【図２】
2012160822.tif 000004
【図３】
2012160822.tif 000005
【図４】
2012160822.tif 000006
【図５】
2012160822.tif 000007
【図６】
2012160822.tif 000008